(57)【特許請求の範囲】
【請求項１】
金属端子を備えたバイブレータと、
前記バイブレータを嵌合し保持する保持部材と、
前記保持部材と一体形成され、開口部を有し、シールド部材からなる台部材と、
複数の部品が実装された回路基板と、を備え、
前記台部材は、前記回路基板上の前記部品の上面および側面を覆うように該回路基板に取り付けられるとともに、該台部材と一体形成された前記保持部材に前記バイブレータを嵌合させると前記金属端子が前記開口部を通り前記回路基板に導通することを特徴とするバイブレータ保持装置。
【請求項２】
前記金属端子は板バネ状であって、前記バイブレータから突設されて設けられることを特徴とする請求項１に記載のバイブレータ保持装置。
【請求項３】
請求項１または２に記載のバイブレータ保持装置を搭載した電子機器。
【発明の詳細な説明】
【０００１】
【発明の属する技術分野】
本発明は、通信端末装置などの電子機器において装置本体を振動させるバイブレータを取り付けるためのバイブレータ保持装置及びバイブレータ取付け方法に関する。
【０００２】
【従来の技術】
例えばページャや携帯電話機などの小型の通信端末装置には、使用者に着信を知らせるためにバイブレータを取り付けて装置本体を振動させるものがある。このバイブレータは、モータの駆動軸に偏心体を取り付け、駆動軸で偏心体を回転させることにより生じる振動を装置本体に伝えるものである。
【０００３】
図３及び図４を参照して従来のバイブレータ取付け構造の例を説明する。図３（Ａ），（Ｂ）に示す第１の従来例は、バイブレータ５０を緩衝材５１で覆った状態とし、このバイブレータ５０を支持体５２の保持部５３，５４に取り付け、次に、バイブレータ５０から延びるリード線５５を回路部品がシールド部材５７で覆われたプリント基板５６に半田付けすることでバイブレータを５０をプリント基板５６に電気的に接続し、プリント基板５６を筐体５８又は支持体５２に取り付ける構造のものである。
【０００４】
図４（Ａ），（Ｂ）に示す第２の従来例は、バイブレータ６０を緩衝材６１を介してサブプリント基板６２に半田付けにより取り付け、サブプリント基板６２の雄コネクタ６３ａを回路部品がシールド部材６５で覆われた本体プリント基板６４の雌コネクタ６３ｂに差し込むことによって、バイブレータ６０を本体プリント基板６４に電気的に接続し、本体プリント基板６４を筐体６７に取り付ける構造のものである。この例では、バイブレータ６０と筐体６７との間にも緩衝材６６を配設している。
【０００５】
【発明が解決しようとする課題】
しかしながら、図３に示した第１の従来例の場合、バイブレータ５０及び緩衝材５１を保持する保持部５３，５４はプリント基板５６と別体であり、かつバイブレータ５０及び緩衝材５１と保持部５３，５４との保持力がプリント基板５６とリード線５５との接続力よりも強固である。このため、通信端末装置を分解する場合、バイブレータ５０がリード線５５のみで接続されてぶら下がった状態になることを避けるために、プリント基板５６とリード線５５との半田付けを外してから分解する必要があり、分解に時間や手間がかかるという問題点があった。また、プリント基板５６上にはシールド部材５７が設けてあり、バイブレータ５０とプリント基板５６及びシールド部材５７と筐体５８との間に空間が形成されるため、これらによって多くの配置スペースが必要であり、装置が大型になってしまうという問題点があった。
【０００６】
また、図４に示した第２の従来例の場合、バイブレータ６０及び緩衝材６１を取り付けるためのサブプリント基板６２を必要とし、バイブレータ６０を本体プリント基板６４に電気的に接続するためにサブプリント基板６２と本体プリント基板６４との間にコネクタ６３ａ，６３ｂを配置する必要がある。また、本体プリント基板６４上にはシールド部材６５が設けられ、このシールド部材６５やシールド部材６５とサブプリント基板６２との空間のために配置スペースが必要となる。このため、本体プリント基板６４からサブプリント基板６２までの高さＨが比較的大きくなり、筐体６７の内部スペースがかなり広くなるため、図３と同様に装置が大型になってしまうという問題点があった。
【０００７】
本発明は、上記事情に鑑みてなされたもので、組立及び分解時の作業性が良好であり、かつ必要な配置スペースが小さくて済み、装置の小型化が可能なバイブレータ保持装置及びバイブレータ取付け方法を提供することを目的とする。
【０００８】
【課題を解決するための手段】
本発明のバイブレータ保持装置は、金属端子を備えたバイブレータと、前記バイブレータを嵌合し保持する保持部材と、前記保持部材と一体形成され、開口部を有し、シールド部材からなる台部材と、複数の部品が実装された回路基板と、を備え、前記台部材は、前記回路基板上の前記部品の上面および側面を覆うように該回路基板に取り付けられるとともに、該台部材と一体形成された前記保持部材に前記バイブレータを嵌合させると前記金属端子が前記開口部を通り前記回路基板に導通することを特徴とするものである。
【０００９】
また、本発明のバイブレータ保持装置における金属端子は板バネ状であって、前記バイブレータから突設されて設けられることを特徴とするものである。
【００１４】
上記のように、バイブレータを取り付けるためのバイブレータ取付け台として、保持部材と台部材とを一体的に形成したものを用い、例えばバイブレータに緩衝材を被せたものを圧入することでバイブレータを保持部材に嵌合して装着し、台部材を回路基板に取り付けてバイブレータの端子と導通させることにより、回路基板上にバイブレータを搭載した一体的な回路基板ユニットが構成される。このように、回路基板においてバイブレータを保持する構成となるため、製造やメンテナンスの際に組立、分解などの作業性が良好であり、容易にバイブレータの取り付けや取り外しが可能となる。
【００１５】
また、台部材を箱状部材で構成し、この箱状部材の内部空間により回路基板と保持部材との間に空間を形成することにより、バイブレータの回路基板への不要な接触、干渉が避けられる。また、台部材を回路基板において必要とされるシールド部材の機能を兼ねる箱状部材で構成することにより、部品点数が削減され、バイブレータを取り付けるための配設スペースが最低限に抑えられる。また、バイブレータに設けた板バネ状の端子と回路基板に設けた接点部とを当接させて導通させる構造とすることにより、組立、分解の際に半田付けや半田の取り外しなどの作業が不要となり、作業性が良く、容易に組み立てやメンテナンスを実施可能となる。
【００１６】
このようなバイブレータ保持装置及びバイブレータ取付け方法を電子機器、特に通信端末装置に適用することにより、より小さな配設スペースでバイブレータを取り付けられるため、装置の小型化が図ることが可能となる。
【００１７】
【発明の実施の形態】
以下、図面を参照して本発明の実施の形態を説明する。
図１は本発明の一実施形態に係るバイブレータ保持装置を搭載した通信端末装置の主要部の構成を示す分解斜視図、図２は図１に示したバイブレータ保持装置を組立完了した状態を側部から見た断面図である。本実施形態では、バイブレータを備えた電子機器として、ページャや携帯電話機などの小型の通信端末装置における構成例を示す。
【００１８】
図１に示すように、通信端末装置１は、本体を振動させるためのバイブレータ２を緩衝材８を介してプリント基板１０に取り付けるバイブレータ取付け台２０をバイブレータ保持装置として備えている。バイブレータ２は、モータ３の駆動軸４に偏心体５を取り付け、駆動軸４で偏心体５を回転させることにより振動を発生するものである。なお、バイブレータ２を弾性部材かつ絶縁部材からなる緩衝材８で覆うことにより、落下等の衝撃をバイブレータ２に直接伝えることなく、衝撃を緩和して破損を防ぐことができる。
【００１９】
バイブレータ取付け台２０は、プリント基板１０上のシールド部材を兼ねる箱状部材の台部材であるシールドケース２２を下部に有し、このシールドケース２２の上部に保持部材であるホルダ２６を一体的に形成した構造となっている。バイブレータ取付け台２０のホルダ２６に緩衝材８で覆われたバイブレータ２を圧入して嵌合することでバイブレータ２を保持するとともに、シールドケース２２をプリント基板１０に取り付けることによってバイブレータ２に突設された板バネ状端子７をプリント基板１０の接点部１２に当接させて接触導通させるようになっている。すなわち、バイブレータ取付け台２０は、バイブレータ２を固定するために、回路基板上にもともと必要であったシールド部材を利用してその上部に保持部を設けた構成である。バイブレータ取付け台２０は、例えば、樹脂をモールド成形してその表面にアルミニウムを蒸着したもので構成されている。
【００２０】
ホルダ２６は、バイブレータ２が収納された緩衝材８を挟み込むように圧入し、上下左右に動かないように保持するために、上方に開口した箱状に壁が形成されている。一方、シールドケース２２は、下方に開口した箱型形状に形成され、バイブレータ２の板バネ状端子７を通すための貫通穴２３が中央部のホルダ２６の底側に形成されている。また、シールドケース２２の各々の側壁部には係止爪２４…が形成され、一辺の両端部にボルト３０をねじ結合するための雌ねじ孔２５，２５が形成されている。本実施形態では、バイブレータ取付け台２０を箱型形状に形成し、この箱型形状の空間２１（図２参照）を利用してプリント基板１０上の回路との不要な接触を避けつつシールド効果を得るようにしている。
【００２１】
プリント基板１０は、バイブレータ２の板バネ状端子７に接触導通する接点部１２を備え、バイブレータ取付け台２０の係止爪２４…を係止するための係止孔１４…が形成されるとともに、ボルト３０，３０を通すための貫通孔１６，１６が形成されている。
【００２２】
次に、プリント基板１０にバイブレータ取付け台２０及びバイブレータ２を組み付ける手順を説明する。
【００２３】
先ず、バイブレータ２に緩衝材８を被せてホルダ２６に圧入する。次に、係止爪２４…をプリント基板１０の係止孔１４…に差し込んで係止させ、バイブレータ取付け台２０をプリント基板１０に対し密着するように取り付ける。次いで、ボルト３０，３０を貫通孔１６，１６を通して雌ねじ孔２５，２５にねじ結合する。これにより、プリント基板１０にバイブレータ２を取り付ける作業が完了する。そして最後に、このプリント基板１０及びバイブレータ２を通信端末装置１の筐体３３（図２参照）に取り付けて固定する。
【００２４】
このように組み立て完了した状態でのバイブレータ保持装置の構造を図２に示す。プリント基板１０にバイブレータ取付け台２０及びバイブレータ２を組み付けると、バイブレータ２の板バネ状端子７は、緩衝材８の孔８ａから突出し、シールドケース２２の貫通穴２３を通してプリント基板１０の接点部１２に接触し導通する。これにより、プリント基板１０上に設けられた駆動回路からの駆動電力が接点部１２，板バネ状端子７を経てバイブレータ２に供給されるようになる。
【００２５】
また、バイブレータ取付け台２０のシールドケース２２は、プリント基板１０のグランドパターンに接触導通している。このような構成により、バイブレータ２の端子を半田付けすることなくプリント基板１０に電気的に接続することができるとともに、プリント基板１０上の回路を確実にシールドすることができる。したがって、メンテナンスの際に半田付けを外すことなく、分解及び組立が可能になる。このとき、バイブレータ２の上部は、緩衝材３２を介して筐体３３に保持固定される。
【００２６】
本実施形態のバイブレータ保持装置は、ホルダ２６を箱状に形成して、緩衝材８を挟み込むように圧入可能で、かつ上下左右に動かないように保持するようにしている。このため、バイブレータ２がプリント基板１０から脱落したり、ぶら下がったりして作業性を悪化させる要因がなくなる。また、バイブレータ２、プリント基板１０及びバイブレータ取付け台２０を一体化してプリント基板ユニットとして扱うことができるため、組立作業が容易になる。さらに、バイブレータ２を隙間なくバイブレータ取付け台２０に取り付けることが可能であり、かつバイブレータ取付け台２０によりシールド部材を兼ねるようにしている。したがって、バイブレータ２を取り付けるために必要なスペースが少なくなり、装置の小型化を図ることが可能となる。
【００２７】
また、バイブレータ２を緩衝材８を介して隙間なくバイブレータ取付け台２０に取り付けるとともに、バイブレータ取付け台２０をプリント基板１０にボルト３０，３０で固定することにより、バイブレータ２より発生する振動がプリント基板１０に確実に伝達される。この結果、バイブレータ２の振動をプリント基板１０を介して通信端末装置１の筐体３３に確実に伝えることが可能となる。
【００２８】
なお、上述した実施形態では、バイブレータ保持装置を通信端末装置に適用した例を説明したが、その他の電子機器に同様に適用することも可能である。
【００２９】
上述したように、本実施形態では、緩衝材を被せたバイブレータをプリント基板上に固定するために、電子機器の回路においてもともと必要とされていたシールド部材を利用する構成としている。このため、バイブレータをシールド部材に直接取り付けてプリント基板に搭載することができるので、可搬性に富み、バイブレータの組込み作業や分解作業を簡単にすることができる。
【００３０】
また、バイブレータに備えた板バネ状端子をプリント基板の接点部に当接して接触導通させる構成としたので、メンテナンスのために分解する際に半田付けを外すことなく、作業性が良く、容易に分解、組立が可能になる。この結果、バイブレータの装置本体への組付け作業や装置本体からの分解作業を手間や時間をかけないで行うことができるので、メンテナンス性を向上できる。
【００３１】
さらに、バイブレータ取付け台にシールド部材を利用することで、部品点数を削減でき、部材自体の体積、及び部材間のスペースを減少できるため、バイブレータを取り付けるために必要な配設スペースを小さく抑えることができる。この結果、装置の小型化を図ることが可能となり、また、装置を設計する際に、設計の自由度を高めることもできる。
【００３２】
また、バイブレータを隙間なく一体構成のバイブレータ取付け台に取り付け、バイブレータ取付け台をプリント基板に取り付けて一体的なプリント基板ユニットを形成するようにしたので、バイブレータの振動をプリント基板を介して装置の筐体に確実に伝えることができる。なお、バイブレータを緩衝材で覆うようにしているため、万一装置を落下してしまっても、緩衝材によって落下の衝撃を吸収して、衝撃がバイブレータに直接伝わるのを防ぐことができる。
【００３３】
【発明の効果】
以上説明したように本発明によれば、バイブレータを保持する保持部材と台部材とを一体的に形成したバイブレータ取付け台を用い、バイブレータを保持部材に嵌合して装着し、台部材を回路基板に取り付けてバイブレータの端子と導通させるような構造とし、好ましくは、台部材を回路基板において必要とされるシールド部材の機能を兼ねる箱状部材で構成することにより、組立及び分解時の作業性が良好であり、かつ必要な配置スペースが小さくて済み、装置の小型化が可能になる効果が得られる。
【図面の簡単な説明】
【図１】本発明の一実施形態に係るバイブレータ保持装置を搭載した通信端末装置の主要部の構成を示す分解斜視図である。
【図２】本実施形態に係るバイブレータ保持装置を組立完了した状態を側部から見た断面図である。
【図３】バイブレータ取付け構造の第１の従来例を示す図であって、（Ａ）は分解斜視図、（Ｂ）は断面図である。
【図４】バイブレータ取付け構造の第２の従来例を示す図であって、（Ａ）は分解斜視図、（Ｂ）は断面図である。
【符号の説明】
１  通信端末装置
２  バイブレータ
７  板バネ状端子
８，３２  緩衝材
１０  プリント基板
１２  接点部
１４  係止孔
１６  貫通孔
２０  バイブレータ取付け台
２１  空間
２２  シールドケース
２３  貫通穴
２４  係止爪
２５  雌ねじ孔
２６  ホルダ
３０  ボルト
３３  筐体
【図１】
0004298074.tif 000002
【図２】
0004298074.tif 000003
【図３】
0004298074.tif 000004
【図４】
0004298074.tif 000005